(57)【特許請求の範囲】
【請求項１】
通信ネットワークサーバで実行される方法であって、
加入者のモバイル装置に関連するネットワークサーバのディレクトリデータベースへ、該加入者のモバイル装置のコンタクトリスト情報を保存するステップと、
キャリアネットワークにおいて前記加入者の着信コールを受信し、前記着信コールはコール発信者の情報を含み、
前記加入者のモバイル装置への着信コールの接続、及びコール発信者の情報の提供の前に、
着信コールに含まれる情報を前記ディレクトリデータベースに保存された情報と比較するステップと、
受信コールの発信者情報が前記ディレクトリデータベース情報と合致しない場合にはＣＮＡＭクエリーを実行するステップと、
前記加入者のモバイル装置に接続し、前記コール発信者の情報を提供するステップと、
を含んでいることを特徴とする方法。
【請求項２】
前記実行するステップは、ＣＮＡＭクエリーの結果をディレクトリデータベースおよび/または加入者のモバイル装置に保存するサブステップを含んでいることを特徴とする請求項１記載の方法。
【請求項３】
前記ＣＮＡＭクエリーの結果は、受信コールに関するコール発信者特定情報またはアドレス情報を含んでいることを特徴とする請求項２記載の方法。
【請求項４】
前記ディレクトリデータベースの情報を自動更新するステップをさらに含んでいることを特徴とする請求項１記載の方法。
【請求項５】
前記自動更新のステップは、
ローカル保存されたディレクトリデータベースへの変更が更新されたなら、加入者のモバイル装置でメッセージを生成するサブステップと、
該生成されたメッセージをネットワークサーバに送信するサブステップと、
受信メッセージに基づいてサーバのディレクトリデータベースを更新するサブステップと、
を含んでいることを特徴とする請求項４記載の方法。
【請求項６】
前記ローカル保存されたディレクトリデータベースへの変更は、情報の追加又は削除であることを特徴とする請求項５記載の方法。
【請求項７】
受信コールの情報がディレクトリデータベースの情報と合致したなら、該ディレクトリデータベースに含まれた合致情報か、またはコール発信者に関連するＣＮＡＭ情報が受信者の装置に既に含まれているという通知を、加入者のモバイル装置に送信するステップと、
送信された合致情報、または送信された前記通知に基づいてローカル保存されたディレクトリデータベースから回収されたコール発信者の情報に基づいて、コール発信者の情報を前記加入者のモバイル装置に提供するステップと、
をさらに含んでいることを特徴とする請求項１記載の方法。
【請求項８】
前記送信された通知は、ＭＤＮであることを特徴とする請求項７記載の方法。
【請求項９】
システムであって、
加入者のモバイル装置に関連するディレクトリ情報を保存するように設計されているディレクトリデータベースと、
前記加入者への着信コールを受信し、前記加入者のモバイル装置への着信コールに接続する前に、着信コールに含まれた発信者情報を、ディレクトリデータベースの情報と比較し、
前記発信者情報がコンタクトリスト情報の入力と合致しない場合、CNAMクエリーを実行し、
前記着信コールを前記加入者のモバイル装置に接続し、前記発信者情報を送信することと、
を含んでいることを特徴とするシステム。
【請求項１０】
前記ネットワークコントロールポイントは、ＣＮＡＭクエリーの結果をディレクトリデータベースに保存するようにさらに設計されていることを特徴とする請求項９記載のシステム。
【請求項１１】
前記ＣＮＡＭクエリーの結果は、コール発信者情報または受信コールと関連するアドレス情報を含んでいることを特徴とする請求項１０記載のシステム。
【請求項１２】
ディレクトリデータベースの情報の自動更新を開始するように設計されたクライエントコンポーネントを含んだ受信者装置をさらに含んでいることを特徴とする請求項９記載のシステム。
【請求項１３】
ローカル保存されたディレクトリデータベースへの変更が更新されたら、受信者装置は、自らメッセージを生成し、そして該生成されたメッセージをネットワークコントロールポイントに送信することで自動更新を開始することを特徴とする請求項１２記載のシステム。
【請求項１４】
前記ネットワークコントロールポイントは、受信メッセージに基づいてサーバでディレクトリデータベースを更新することを特徴とする請求項１３記載のシステム。
【請求項１５】
前記ローカル保存されたディレクトリデータベースへの変更は、情報の追加または削除を含んでいることを特徴とする請求項１３記載のシステム。
【請求項１６】
前記受信者装置は、送信された合致情報に基づいてコール発信者情報を提供するか、送信された通知に基づいてローカル保存されたディレクトリデータベースから回収されたコール発信者情報を提供するように設計されている出力装置を含んでいることを特徴とする請求項９記載のシステム。
【請求項１７】
前記送信された通知は、ＭＤＮであることを特徴とする請求項１６記載のシステム。
【発明の詳細な説明】
【技術分野】
【０００１】
本願発明は、電話ネットワークにおけるコール発信者名の特定方法およびシステムに関する。
【０００２】
本願は、２００８年４月１５日出願の米国仮特許出願６１/０４５２０４および２００８年８月１４日出願の米国特許出願１２/１９１８９２の優先権を主張する。また、これらの内容を本願に援用する。
【背景技術】
【０００３】
モバイル電話ネットワークにおける従来のコール発信者（呼出者）名の特定は、ネットワーク制御点（ネットワークコントロールポイント  ＮＣＰ）およびネットワーク終結点（ネットワークターミネーションポイント  ＮＴＰ）として知られる一対のサービスポイントを利用したネットワークアーキテクチャにおいて実行される。本質的にはＮＴＰは、キャリアネットワークと加入者（サブスクライバ）との間でターミネーション（終端）コールおよびコネクション（接続）コールのための信号トラフィックを管理する。ＮＣＰは加入者のアカウント（口座）およびコール発信者の情報を管理する。これにはネットワークベースのコール発信者情報サービスが含まれる。このアーキテクチャは、コール発信者およびコール受信者の電話番号を利用して、様々なキャリアネットワークに有用なルールを相互運用させ、評価させ、利用させる（利用料請求および料金ローミングなど）。コール発信者の電話番号に関連するコール発信者特定情報が迅速に入手でき、キャリアネットワーク間と、究極的にはコール受信者のハンドセットへの接続のコールフロー（コール初期化、接続および終結など）を遅滞させない場合には、この段階でコール発信者情報サービスが利用できる。このようなコール発信者特定サービスの１つの標準的サービスはコール発信者名（ＣＮＡＭ）サービスである。ＣＮＡＭサービスの１例はＶｅｒｉｓｉｇｎ（登録商標）（ＣＩＴＥ  ＶＥＲＩＳＩＧＮ ＤＯＣＵＭＥＮＴＳ）によって提供されるものである。その他のＣＮＡＭプロバイダは、Ｔａｒｇｕｓ（登録商標）とＳｙｎｉｖｅｒｓｅ（登録商標）の製品およびサービスを含んでいる。
【０００４】
高速大容量データベース（ＤＢ）（ライン情報データベース（ＬＩＤＢ）と呼称）にクエリー（質問）することでＣＮＡＭはコール発信者ネーム（名前）およびアドレス（都市名/県名）を提供する。ＣＮＡＭサービスは、有料（典型的には加入者カウント（利用者口座）に請求）でコール当事者に関する情報を提供する。この料金は契約形態によって変動するが、典型的にはコール（電話１回）あたり０．０１米ドル（約１円）である。電話キャリアネットワークでのＣＮＡＭトラフィックも大量である。一日平均で７回のコールを実行する２０億の加入者を有する（架空）キャリアは、専用ネットワークで１４０億のＣＮＡＭの取引を処理する可能性がある。電話には多くのキャリアと、複数の電話回線を維持する多くの加入者が存在するため、ＣＮＡＭ市場は地上回線公衆電話網（ＰＳＴＮ）のみのサービスから、モバイル電話およびインターネットプロトコルを介した音声（ＶｏＩＰ）電話のようなその他の通信ネットワークを含む範囲にまで成長した。このように、毎日百億をゆうに超える数のＣＮＡＭ交信（取引）の可能性が存在する。運用において、ＣＮＡＭサービスはＮＴＰからの着信コールを受信し、コール情報（コール発信者の番号とダイヤル回数を含む）をＮＣＰに送信し、そのクエリーが加入者に請求できるものか否かを決定し、どのキャリアから着信コールが送信されてくるかを決定し、名前と電話番号のデータベース（コール発信者キャリアのライン情報データベース（ＬＩＤＢ）など）にクエリー可能なサービスに対してクエリーし、そのネットワークを中継する電話番号の名前またはアドレスを分析し、コールが受信されたとき（典型的には着信コール通知音が鳴っているとき）コール発信者モバイルダイアル可能ナンバー（ＭＤＮ）と共にその情報を受信用のハンドセットに送る。
【０００５】
典型的にはＣＮＡＭクエリーは２秒未満に完了する。これでコール発信者はコール中に通話者に対する遅滞を知覚することなく、通常の“コール音”を経験することができ、適度な時間内にコールハンドセットは、そのコールをコール受信者に接続する。受信キャリアのネットワークターミネーションポイント（ＮＴＰ）で終結すると、ＣＮＡＭクエリーの結果はテキスト文字列としてコール発信者のＣＩＤと共にコール受信者の電話に送信され、受信用のハンドセットに表示される。受信用のハンドセットからＣＮＡＭクエリーを実行することは可能であるが、モバイルハンドセットからＣＮＡＭクエリーを実行することにより着信コールの受信者を長時間待たせることは、通話者の片方または両方に受け入れがたいコール経験（通話者のコール終結遅延またはコール受信した通話者へのコール発信者情報の表示の遅延）をさせることになる。受信用のハンドセットからのＣＮＡＭクエリーの場合には、ネットワークターミネーションポイント（ＮＴＰ）がそのコールを受信ハンドセットに接続した後にクエリーが開始するため、知覚できる程度の遅延が発生する。このような遅延を伴って、コール発信者情報がハンドセットに送信される前にユーザはコールに応答するか、コールを無視するかを選択することができる。
【発明の概要】
【発明が解決しようとする課題】
【０００６】
本発明は、番号が受信用のハンドセットのコール発信者ディレクトリに既に保存されている場合にはＣＮＡＭクエリーを実行しない無線環境に電話ネットワークを提供する。
【課題を解決するための手段】
【０００７】
ＣＮＡＭクエリー料金は新規コール発信者のコール発信者情報を得るためだけに課される。受信者のハンドセットに保存されているコンタクト情報内であろうが、その他の信頼できる情報源を介したものであろうが、コール発信者情報が既に入手できる状態であるときにはネットワークはＣＮＡＭクエリーを実行しない。
【０００８】
本発明の好適ないくつかの実施例を添付図面を利用して以下で詳細に解説する。
【図面の簡単な説明】
【０００９】
【図１】本発明の１実施例による例示的システムの概略ブロック図である。
【図２】図１で示すシステムにより実行される例示的方法のフロー図である。
【図３】運用中のシステムの実施例を図示している。
【発明を実施するための形態】
【００１０】
本発明は、コール発信者の特定情報を提供するにあたってＣＮＡＭクエリーが必要であるか否かを決定するために、データベースおよびクエリーロジックの形態にてキャリアネットワークにいくつかのアーキテクチャ（ソフトウェアおよび/またはハードウェア）コンポーネントを追加する。
【００１１】
図１で示すように、例示の無線環境２０は、コール発信者システム３０、コール受信者システム（ネットワークコントロールポイント（ＮＣＰ））３２、データネットワーク３８、ネットワークサーバ３６、データベース４０、ライン情報データベース（ＬＩＤＢ）３４、およびモバイルハンドセット（受信装置）４２を含んでいる。コール発信者システム３０はモバイルハンドセット４２宛のコールをＮＣＰ３２に送信する。ＮＣＰ３２はコールに含まれるコール発信者番号（ＣＩＤ）を、データネットワーク３８を介してネットワークサーバ３６に送信する。ネットワークサーバ３６はデータベース４０をクエリーし、モバイルハンドセット４２がＣＩＤに関するＭＤＮ情報を既に保存しており、（ＣＮＡＭ）クエリーが不要であることをデータベース４０が示しているか確認する。ＭＤＮがモバイルハンドセット４２に保存されていなければ、ＣＩＤを利用して従来のＣＮＡＭクエリーが実行される。
【００１２】
１実施例では、このシステムはキャリアネットワークを介した着信コール番号に基づいて従来のＣＮＡＭクエリーを実行する。これでキャリアは、コールが受信されたときにモバイルハンドセット４２に表示するため、ＣＩＤと、そのＣＩＤに関係するＣＮＡＭを一連に供給することができる。このコール番号とネームは後に利用するためにモバイルハンドセットのコール発信者ディレクトリに保存できる。あるいは、受信ハンドセットの所有者は、ハンドセットにネームと電話番号とを含んだコンタクト情報を入力または移入することができる。
【００１３】
ネットワークターミネーションポイント（ＮＴＰ）が、コールが進行中であることを知らせると、ダイヤル情報がＮＣＰ３２に送られる。ＮＣＰ３２は、そのＮＣＰ３２に関するデータベース４０またはＮＣＰ３２でアクセスできるネットワークサーバ３６に照らしてそれぞれの着信コールＣＩＤをチェックする。データベース４０に保存されているテーブル（表）は受信用のハンドセットのコール発信者ディレクトリ（すなわちモバイルディレクト番号（ＭＤＮ））のコピーを含んでいる。最低限、テーブルは、以前にモバイルハンドセット４２で受信している電話番号を含んでいる。コール発信者ディレクトリリストは、ＮＣＰ３２と共に配置され、キャリアネットワークで配信され、あるいはネットワークアドレス可能なメモリまたは保存装置に配信されるデータベーステーブルに存在できる。ＮＣＰ３２はコール発信者ディレクトリテーブルにクエリーし、コールＭＤＮがモバイルハンドセット４２のコール発信者ディレクトリ（すなわちコンタクトリスト）に既に保存されているか否かを決定する。クエリーの結果（ＹＥＳまたはＮＯ）を利用して、ＮＣＰ３２はコール発信者ディレクトリテーブルに保存されていない番号（着信コール、すなわちコールＭＤＮ）のＣＮＡＭクエリーを実行し、コールＭＤＮがコール発信者テーブルに保存されているＭＤＮと関連するときにはＣＮＡＭクエリーを実行しない。
【００１４】
１実施例では、モバイルハンドセットのコール発信者ディレクトリテーブルは、モバイルハンドセット４２に保存されたコール発信者ディレクトリにおいてＭＤＮが修正（追加または削除）されるたびにモバイルハンドセット４２から送信されるネットワークメッセージ（例えばショートメッセージサービス（ＳＭＳ）のメッセージまたはキャリアデータネットワークを介したもの）を介して更新される。モバイルハンドセット４２で運用される小型のクライアントソフトウェアコンポーネントは、モバイルハンドセットのコール発信者ディレクトリ（モバイルユーザコンタクトまたはアドレスブックとも呼称）に保存されているコンタクトのために電話番号をネットワークサーバ３６に送信する。ネットワークサーバ３６は、受信されたときにコール発信者ディレクトリテーブルに受信情報を保存する。ＣＮＡＭクエリーが実行され、結果はハンドセットのコール発信者ディレクトリエントリーへの検出された変更に基づいて受信ハンドセット４２のクライアントソフトウェアによって保存される。また、受信用のハンドセット４２のコール発信者ディレクトリの情報も定期的に更新される。この更新は設定時間（例えば6ヵ月毎）に、あるいはその電話番号からの着信コールのアカウントに基づいてＣＮＡＭクエリーを実行して行なう（例えば、コール発信者ディレクトリ情報の精度（ディレクトリテーブルをコール発信者ディレクトリとモバイルハンドセット４２で同期）を、コール発信者のＭＤＮが着信コールで検出される１５回毎にチェックするようにＣＮＡＭクエリーをリクエストする）。着信コールで検出されたコール発信者のＭＤＮを１５分単位でチェックするようにリクエストする。すなわち、モバイルハンドセット４２でディレクトリテーブルをコール発信者ディレクトリと同期させる）。上記の技術は、名前および/または電話番号は変更されようともモバイルハンドセット４２のコール発信者情報の精度を維持し、各コールに関するＣＮＡＭクエリーを回避し、ＣＮＡＭを知的に利用してコール発信者ディレクトリのコール発信者情報の精度を維持する。
【００１５】
別実施例では、プライバシーまたはネットワークアクセス規制が、ネットワークサーバ３６のコール発信者ディレクトリテーブルへのモバイルハンドセットのコール発信者ディレクトリのコピー行為を防止する。この場合、このテーブルは、受信用のハンドセット４２への着信コールが実行されたときのみコール発信者情報によって更新され、コールが終結すると着信番号が記録される。ＣＮＡＭクエリーが実行されると、得られたテキスト文字列（コール発信者名および/またはアドレス情報）はコール発信者テーブルに保存される。（コール発信者ディレクトリテーブルには登録されていない）番号が初めて受信されるとＣＮＡＭクエリーが実行される。その後、もしテーブルがこの記録を含むならＣＮＡＭクエリーは実行される必要がある。コール発信者特定情報はテーブルから受信ハンドセット４２へ直接的に送信される。あるいは、ユーザが前もってその番号と、当初のコールから得られたコール発信者特定情報を保存していると考えられる。後者の場合、発呼者はモバイルハンドセット４２に保存されている情報を利用して特定される。
【００１６】
受信用のハンドセット４２のクライアントソフトウェアは、ハンドセット４２で加入者にコンタクトデータベース（コール発信者ディレクトリ）へコールリストエントリを移動させるように促し、データベース４０内のコンタクトリストを更新する指示をソフトウェアに提供する機能をも含んでいる。
【００１７】
受信ハンドセット４２のクライアントソフトウェアは、コールリストエントリをハンドセット４２のコンタクトデータベースに自動的に移動させ、データベース４０のコンタクトリストを、このコールリストエントリによって更新させるようソフトウェアに指示を提供する機能をも含んでいる。
【００１８】
受信ハンドセット４２のクライアントソフトウェアは、着信コールのＭＤＮをハンドセット４２のコンタクトデータベースに直接的に自動送信し、そのエントリによってデータベース４０のコンタクトリストを更新させるようクライエントソフトウェアに指示を提供する機能をも含んでいる。
【００１９】
データベース４０のコンタクトリスト更新の指示を受信すると、受信ハンドセット４２のクライアントソフトウェアは、ハンドセット４２のコンタクトデータベースにＭＤＮが保存されている表示を送信する。これは、任意の保存ＭＤＮをネットワークサーバ３６に戻すか、確認を送信する形態である。
【００２０】
データベース４０のコンタクトリストは、受信ハンドセット４２がＭＤＮをコンタクトデータベースに保存していてもいなくとも、全ての着信ＭＤＮと、受信したコール発信者特定情報を保存することができる。その後、受信ハンドセット４２のクライアントソフトウェアは、コール発信者情報自体を交換するのではなく、受信ハンドセット４２のコンタクトデータベースに保存されている各ＭＤＮのための指示を提供することでデータベース４０のコンタクトリストと協調できる。
【００２１】
同様にしてデータベース４０のコンタクトリストの加入者と関係する番号のリストが、定期的にハンドセット４２のディレクトリに保存され、ここで説明するＣＮＡＭサービスを活用して更新されるリストに照らしてチェックできる。受信ハンドセットで入手可能であれば、コール発信者名情報はキャリアによってリクエストされる必要はない。ＣＮＡＭクエリーが実行されるべきか否かを決定する前に、受信ハンドセットに保存された電話番号だけはチェックされる必要がある。
【００２２】
本発明はモバイルネットワークに関して説明されているが、ネットワークコール発信者のディレクトリ情報源（ここで解説するモバイルハンドセットのコンタクトディレクトリの形態で運用）、コール発信者と関係する識別子または電話番号、およびＣＮＡＭサービスへのネットワークアクセスを提供する通信キャリアが存在するならば、モバイル、ＶｏＩＰおよび従来型の電話ネットワークにおいても機能する。
【００２３】
図２は図１で示すシステムにより実行される例示的方法１００を図示している。先ず、ブロック１０４にてコールがモバイルキャリアのＮＣＰ３２で受信される。次に、決定ブロック１０８にて、受信コールのＭＤＮが、データベース４０で保存された（関連づけられた）コンタクト情報（テーブル）であるか否かをＮＣＰ３２またはネットワークサーバ３６が決定し、データベース４０に保存されているＣＩＤ情報がデータベース４０から取り出され、そのコールと共に受信者に送られる。受信ハンドセット４２がＣＩＤ情報を含んだコールを受信すると、ＣＩＤ情報がユーザに表示/出力される。ＣＩＤ情報がデータベースに保存されていない場合には、指示が受信者に対してコールと共に送られる。受信ハンドセット４２が指示を含んだコールを受信すると、ＣＩＤ情報がコール発信者のディレクトリ（コンタクトリスト）から回収され、ユーザに表示/出力される。
【００２４】
決定ブロック１０８において、ＮＣＰまたはネットワークサーバ３６が受信コールのＭＤＮがデータベース４０で保存された（関連付けされた）コンタクト情報（テーブル）ではないと決定したら、ブロック１１０にて、ＣＮＡＭクエリーがＬＩＤＢ３４を活用して実行される。ブロック１１４で、もしＣＮＡＭクエリーが関連ＣＩＤを発見したら、ＣＩＤはコールと共に受信者に送信される。ブロック１１６にて、もしＣＮＡＭクエリーが関連ＣＩＤを発見しなければ、送信者のＭＤＮがアドレス情報を決定するのに使用される。このアドレス情報はコールによって受信者に送られる。
【００２５】
図３は図１の無線環境２０がどのように機能するかを例示している。第１実施例では、第１ＭＤＮと第２ＭＤＮ（２０６．５５５．１２１２、４２５．１１１．１２３４）からのコール発信者がＮＣＰ３２とネットワークサーバ３６で分析される。加入者のコンタクトデータベース（データベース４０）に対応する記録が存在することが決定される。この例ではモバイルハンドセット４２はＭＤＮとモバイルハンドセット４２のコンタクトディレクトリからの関連する名前を表示する。
【００２６】
別実施例では、第１ＭＤＮと第２ＭＤＮ（206.５５５．１２１２，４２５．１１１．１２３４）は加入者のコンタクトデータベース（データベース４０）に対応する記録を持たない。ＮＣＰ３２はＬＩＤＢ３４でＣＮＡＭ情報を探す。この実施例では、もしＣＮＡＭ情報がＭＤＮ（２０６．５５５．１２１２，４２５．１１１．１２３４）のためにＬＩＤＢ３４に存在するなら、ＮＣＰ３２はＭＤＮとＣＮＡＭクエリーの結果を表示するためにモバイルハンドセット４２に送信する。ＭＤＮ２０６．５５５．１２１２のために、もしＣＮＡＭ情報がＬＩＤＢ３４に存在しなければ、ＭＤＮは、表示/出力のためにモバイルハンドセット４２へＭＤＮと共に通信されるアドレス情報を決定するために使用される。ＬＩＤＢは、加入者キャリア（インネットワークコール）または第３者キャリアＬＩＤＢ（その他の通信ネットワークの加入者情報を含む）のものでよい。ＣＮＡＭは加入者にサービスを提供するために、典型的にはＬＩＤＢのサービスコール発信者情報を提供する。これで、加入者にＬＩＤＢへのアクセスを統合させ、独立キャリアの負担を軽減し、ＣＮＡＭのために自身の高速データベースサービスを維持する必要なく相互運用させる。
【００２７】
従来式に提供されるＣＮＡＭでは変則的であるが、本発明は、コール発信者キャリアでＮＣＰによってアクセスできるデータベースのコンタクトリストに維持されているコール発信者コンタクト情報に基づいて実施することもできる。ＣＮＡＭの運用はコール発信者側で開始でき、ＣＮＡＭをクエリーする決定は、関連するおよび/またはコール発信者キャリアのＮＣＰによってネットワークを介してアクセスされるコール発信者ディレクトリリストを使用して実施される。コール発信者コンタクトリストを参照して実行されたＣＮＡＭクエリーは、受信当事者に対して無料で獲得コール発信者名情報を送信する。これはコール発信者、例えば事業者にとって有利である。なぜなら、コール情報とビジネスに関するブランド（例えば会社名）がコール発信者のコンタクトへコール発信者情報を提供することで正しく維持できるからである。これはプライベートの通話者にコンタクト情報を、なりすましやユーザの誤操作のリスクなしで共有させる。なぜなら、情報はコール発信者ではなくＣＮＡＭによって先ず提供されるからである（ＣＮＡＭ情報は正確であり、ハンドセットのコール発信者ディレクトリに適切に保存されている場合）。本発明はこのことを発呼者にさほど費用を負担させることなく可能にする。なぜなら、オンラインディレクトリのコール発信者情報は、受信者が発呼者の情報を既に受信していることを示すからである（なぜなら、受信者はコール発信者のコンタクトリストに既に記録されているからである）。ボイスチャンネルでのコールが適切ではあるが、本発明はＣＮＡＭクエリーを管理し、着信メッセージに送信者を特定する情報をモバイルネットワークの装置（ＳＭＳ、Ｅメール、データトラフィックなど）に送るために利用できる。
【００２８】
本発明の好適実施例を図示して解説したが、本発明の精神と範囲を逸脱せずに多くの変更を施すことが可能である。よって、本発明の範囲はここで解説する好適実施例によっては限定されない。本発明の範囲は「請求の範囲」によって決定されるべきである。
【図１】
0005570498.tif 000002
【図２】
0005570498.tif 000003
【図３】
0005570498.tif 000004